(57)【特許請求の範囲】
【請求項１】
画像データを撮影するとともに通信相手機器との間で無線通信をおこなう無線通信装置であって、
自装置と通信相手機器との間で無線通信を行う無線通信手段と、
自装置と通信相手機器との物理的接触を検知する検知手段と、
前記無線通信におけるセッションに必要な管理情報を、前記無線通信と異なる至近距離通信方式にて通信相手機器へ送信する送信手段と、
前記検知手段により接触が検知されたことを契機として、前記管理情報の送信を所定時間だけ前記送信手段に実行させ、前記所定時間の経過後に、前記無線通信による通信相手機器とのセッションを開始する通信制御手段と、
前記接触が検知されたことを契機として通信制御手段によりセッションが開始されると、セッションが開始された１以上の通信相手機器の識別子を端末リストに登録し、前記識別子を登録した端末リストを保持するリスト保持手段と、
前記接触が検知されたことを契機として前記セッションが開始された通信相手機器の識別子が端末リストに登録された後に、自装置が撮影した画像データを、前記端末リストに登録されている識別子に対応する１以上の通信相手機器に前記無線通信手段で送信するよう制御する制御手段と
を備えることを特徴とする無線通信装置。
【請求項２】
前記通信相手機器が送信した相手機器管理情報を、前記至近距離通信方式にて受信する受信手段を更に備え、
前記通信制御手段は更に、前記検知手段により接触が検知されたことを契機として、前記相手機器管理情報の受信を前記所定時間、若しくは前記所定時間よりも長い所定の受信時間だけ前記受信手段に実行させ、受信された相手機器管理情報に基づいて前記セッションを実行する
ことを特徴とする請求項１に記載の無線通信装置。
【請求項３】
前記送信手段は、前記至近距離通信方式において、前記無線通信に用いる電波よりも小さい送信電力で管理情報を送信する
ことを特徴とする請求項２に記載の無線通信装置。
【請求項４】
前記至近距離通信方式とは、通信相手機器との接触点を介した信号線路において信号を送受する通信方式である
ことを特徴とする請求項２に記載の無線通信装置。
【請求項５】
前記管理情報は、前記無線通信における自装置の機器アドレスを含む
ことを特徴とする請求項１に記載の無線通信装置。
【請求項６】
前記管理情報は、自装置の認証に用いる認証鍵を含み、
前記通信制御手段は、前記無線通信によるセッションを開始する際に、前記認証鍵を用いて前記通信相手機器との通信を認証する
ことを特徴とする請求項１に記載の無線通信装置。
【請求項７】
前記管理情報は、暗号鍵を含み、
前記通信制御手段は、前記暗号鍵を用いて、前記無線通信において送受信するデータを暗号化又は復号化する
ことを特徴とする請求項１に記載の無線通信装置。
【請求項８】
前記検知手段は、自装置の接触検知部位に通信相手機器の接触検知部位が接触した場合に、前記物理的接触を検知する
ことを特徴とする請求項１に記載の無線通信装置。
【請求項９】
画像データを撮影するとともに通信相手機器との間で無線通信をおこなう無線通信装置であって、
自装置と通信相手機器との間で無線通信を行う無線通信手段と、
自装置と通信相手機器との物理的接触を検知する検知手段と、
前記無線通信におけるセッションに必要な管理情報を、前記無線通信と異なる至近距離通信方式にて通信相手機器へ送信する送信手段と、
前記検知手段により接触が検知されたことを契機として、前記管理情報の送信を所定時間だけ前記送信手段に実行させ、前記所定時間の経過後に、前記無線通信による通信相手機器とのセッションを開始する通信制御手段と、
セッションを開始する１以上の通信相手機器の識別子を端末リストに登録して保持するリスト保持手段と、
自装置が撮影した画像データを、前記端末リストに登録されている識別子に対応する１以上の通信相手機器に前記無線通信手段で送信するよう制御する制御手段とを備え、
前記制御手段は、前記端末リストに登録されている識別子に対応する通信相手機器の何れか１つからの撮影指示を前記無線通信手段で受信したことを契機として、前記無線通信手段に前記画像データの送信を開始させることを特徴とする無線通信装置。
【請求項１０】
前記制御手段は更に、前記撮影指示を受信した場合に加えて、自装置のシャッターボタンが押下された場合にも、前記無線通信手段に前記画像データの送信を開始させる請求項９記載の無線通信装置。
【請求項１１】
撮影した画像データを記憶する記憶部と、
前記記憶部に記憶されているデータを削除する削除部と
を備え、
前記記憶部に記憶される画像データには、セッションの開始後に随時撮影されて更新されるプレビュー画像、及び、撮影指示の受信時に撮影されるシャッター画像があり、
前記制御部は、
前記通信相手機器からのプレビュー画像要求を受信すると、前記プレビュー画像の画像データを通信相手装置に送信するよう無線通信手段を制御し、
前記通信相手機器からの撮影指示を受信すると、シャッター画像の画像データを通信相手装置に送信し、前記記憶されているプレビュー画像及びシャッター画像の画像データを削除するように、無線通信手段、及び、削除部を制御する請求項１０記載の無線通信装置。
【請求項１２】
通信相手機器との間で無線通信をおこなう無線通信装置であって、
自装置と通信相手機器との間で無線通信を行う無線通信手段と、
自装置と通信相手機器との物理的接触を検知する検知手段と、
前記無線通信におけるセッションに必要な管理情報を、前記無線通信と異なる至近距離通信方式にて通信相手機器へ送信する送信手段と、
前記検知手段により接触が検知されたことを契機として、前記管理情報の送信を所定時間だけ前記送信手段に実行させ、前記所定時間の経過後に、前記無線通信による通信相手機器とのセッションを開始する通信制御手段と、
セッションを開始する１以上の通信相手機器の識別子を端末リストに登録して保持するリスト保持手段と、
前記端末リストに登録されている識別子に対応する通信相手機器のいずれか１つが送信した画像データを前記無線通信手段で受信したのち、前記端末リストに登録されている識別子に対応する他の通信相手機器へ、前記受信した画像データを前記無線通信手段で送信するよう制御する制御手段と
を備えることを特徴とする無線通信装置。
【請求項１３】
画像データを撮影するとともに通信相手機器との間で無線通信をおこなう無線通信装置の集積回路であって、
無線通信装置と通信相手機器との間で無線通信を行う無線通信手段と、
無線通信装置と通信相手機器との物理的接触を検知した検知信号を受け付ける検知受付手段と、
前記無線通信におけるセッションに必要な管理情報を、前記無線通信と異なる至近距離通信方式にて通信相手機器へ送信する送信手段と、
前記検知受付手段により検知信号を受け付けたことを契機として、前記管理情報の送信を所定時間だけ前記送信手段に実行させ、前記所定時間の経過後、前記無線通信による通信相手機器とのセッションを開始する通信制御手段と、
前記接触が検知されたことを契機として通信制御手段によりセッションが開始されると、セッションが開始された１以上の通信相手機器の識別子を端末リストに登録し、前記識別子を登録した端末リストを保持するリスト保持手段と、
前記接触が検知されたことを契機として前記セッションが開始された通信相手機器の識別子が端末リストに登録された後に、自装置が撮影した画像データを、前記端末リストに登録されている識別子に対応する１以上の通信相手機器に前記無線通信手段で送信するよう制御する制御手段と
を備えることを特徴とする集積回路。
【請求項１４】
通信相手機器との間で無線通信をおこなう無線通信装置の集積回路であって、
無線通信装置と通信相手機器との間での無線通信を行う無線通信手段と、
無線通信装置と通信相手機器との物理的接触を検知した検知信号を受け付ける検知受付手段と、
前記無線通信におけるセッションに必要な管理情報を、前記無線通信と異なる至近距離通信方式にて通信相手機器へ送信する送信手段と、
前記検知受付手段により検知信号を受け付けたことを契機として、前記管理情報の送信を所定時間だけ前記送信手段に実行させ、前記所定時間の経過後、前記無線通信による通信相手機器とのセッションを開始する通信制御手段と、
セッションを開始する１以上の通信相手機器の識別子を端末リストに登録して保持するリスト保持手段と、
前記端末リストに登録されている識別子に対応する通信相手機器のいずれか１つが送信した画像データを前記無線通信手段で受信したのち、前記端末リストに登録されている識別子に対応する他の通信相手機器へ、前記受信した画像データを前記無線通信手段で送信するよう制御する制御手段と
を備えることを特徴とする集積回路。
【請求項１５】
画像データを撮影するとともに通信相手機器との間で無線通信をおこなう無線通信装置の通信制御方法であって、
無線通信装置と通信相手機器との物理的接触を検知する検知ステップと、
前記検知ステップにおいて接触が検知されたことを契機として、前記無線通信におけるセッションに必要な管理情報を、前記無線通信と異なる至近距離通信方式にて所定時間だけ通信相手機器へ送信する送信ステップと、
前記所定時間の経過後に、前記無線通信による通信相手機器とのセッションを開始する開始ステップと、
前記接触が検知されたことを契機として前記セッションが開始されると、セッションが開始された１以上の通信相手機器の識別子を端末リストに登録するリスト登録ステップと、
前記接触が検知されたことを契機として前記セッションが開始された通信相手機器の識別子が端末リストに登録された後に、無線通信装置が撮影した画像データを、前記端末リストに登録されている識別子に対応する１以上の通信相手機器に前記無線通信で送信するよう制御する制御ステップと
を含むことを特徴とする通信制御方法。
【請求項１６】
通信相手機器との間で無線通信をおこなう無線通信装置の通信制御方法であって、
無線通信装置と通信相手機器との物理的接触を検知する検知ステップと、
前記検知ステップにおいて接触が検知されたことを契機として、前記無線通信におけるセッションに必要な管理情報を、前記無線通信と異なる至近距離通信方式にて所定時間だけ通信相手機器へ送信する送信ステップと、
前記所定時間の経過後に、前記無線通信による通信相手機器とのセッションを開始する開始ステップと、
セッションを開始する１以上の通信相手機器の識別子を端末リストに登録する登録ステップと、
前記端末リストに登録されている識別子に対応する通信相手機器のいずれか１つが送信した画像データを前記無線通信手段で受信したのち、前記端末リストに登録されている識別子に対応する他の通信相手機器へ、前記受信した画像データを前記無線通信で送信する画像送受信ステップと
を含むことを特徴とする通信制御方法。
【請求項１７】
画像データを撮影するとともに通信相手機器との間で無線通信をおこなう無線通信装置を制御するコンピュータプログラムであって、
無線通信装置と通信相手機器との物理的接触を検知させる検知ステップと、
前記検知ステップにより接触が検知されたことを契機として、前記無線通信におけるセッションに必要な管理情報を、前記無線通信と異なる至近距離通信方式にて所定時間だけ通信相手機器へ送信させる送信ステップと、
前記所定時間の経過後に、前記無線通信による通信相手機器とのセッションを開始させる開始ステップと、
前記接触が検知されたことを契機として前記セッションが開始されると、セッションが開始された１以上の通信相手機器の識別子を端末リストに登録するリスト登録ステップと、
前記接触が検知されたことを契機として前記セッションが開始された通信相手機器の識別子が端末リストに登録された後に、無線通信装置が撮影した画像データを、前記端末リストに登録されている識別子に対応する１以上の通信相手機器に前記無線通信で送信するよう制御する制御ステップと
を無線通信装置に実行させることを特徴とするコンピュータプログラム。
【請求項１８】
通信相手機器との間で無線通信をおこなう無線通信装置を制御するコンピュータプログラムを記録した記録媒体であって、
無線通信と通信相手機器との物理的接触を検知させる検知ステップと、
前記検知ステップにより接触が検知されたことを契機として、前記無線通信におけるセッションに必要な管理情報を、前記無線通信と異なる至近距離通信方式にて所定時間だけ通信相手機器へ送信させる送信ステップと、
前記所定時間の経過後に、前記無線通信による通信相手機器とのセッションを開始させる開始ステップと、
セッションを開始する１以上の通信相手機器の識別子を端末リストに登録させる登録ステップと、
前記端末リストに登録されている識別子に対応する通信相手機器のいずれか１つが送信した画像データを前記無線通信手段で受信させ、その後に前記端末リストに登録されている識別子に対応する他の通信相手機器へ、前記受信した画像データを前記無線通信で送信させる画像送受信ステップと
を無線通信装置に実行させることを特徴とするコンピュータプログラム。
【発明の詳細な説明】
【技術分野】
【０００１】
本発明は、無線通信により端末間でデータを送受信する技術に関し、特に、端末間のセッションに必要な管理情報を、各端末に保持させる技術に関する。
【背景技術】
【０００２】
無線ＬＡＮ等の無線通信は便利であるが、その一方で無線電波の傍受によるデータの漏洩という危険がある。特に、通信相手の機器アドレス、ネットマスク、ゲートウェイアドレス、認証鍵、暗号鍵等の無線通信による通信路を確立しセッションを行うために必要な管理情報の漏洩は、無線通信の安全性に重大な危機を招くことになる。そこで、通信相手危機の管理情報を人手により各端末に入力しておくことで無線通信の安全性を高めることができる。
【０００３】
しかし、このような管理情報を各端末に人手により入力する手法は、宅内などで常に特定の通信機器を通信相手とするような用途では有用であるが、頻繁に新規な通信機器を通信対象とすることのある用途では、新規な機器との通信を行うたびに、管理情報の入力が必要になり手間がかかる。
例えば、近年、デジタルカメラ、ＰＤＡ（Personal  Digital  Assistant）、パーソナルコンピュータ等の情報装置が広く普及し、多くのユーザが日常的に持ち歩くようになっている。特に、情報装置に登載される記録媒体も大容量化しており、ここに撮影した大量の画像データを記録しておき、ユーザが外出先で画像を見せ合い、お互いの端末装置間で画像データを交換するという利用法が広まっている。このような出先での端末間のデータ交換には、ケーブルを必要としない無線ＬＡＮ等の無線通信が便利であるが、ユーザが出先で出会った他のユーザとデータ交換を企図するたびに管理情報を人手で入力するようでは、煩雑さが否めない。
【０００４】
そこで、通信路確立後の無線通信に用いる電波よりも弱い電波を用いて、通信路確立前に管理情報を交換する方法が提案されている（例えば、特許文献１）。
【特許文献１】特開２０００−２９５６５８号公報
【発明の開示】
【発明が解決しようとする課題】
【０００５】
しかし、通信路確立後に用いる電波より弱い電波を用いて管理情報を交換する手法は、以下の理由により安全性に問題があるといえる。
まず、端末間で管理情報を交換しようとする際に、一方の端末のみが先に管理情報を送信、もしくは受信する状態となると、第三者が容易になりすますことが可能となる。また、送信電力が小さいとノイズによる影響が大きく、通信失敗に伴うリトライ回数が増加する事がある。リトライ回数が増大すると通信時間が長くなり、悪意有る第三者に管理情報を不正に傍受される機会が増える。その結果、管理情報自体が漏洩し、無線通信の安全性を損なうこととなる。
【０００６】
本発明の目的は、通信相手機器との間で、容易な手順で安全に管理情報を交換することが出来る無線通信装置を提供することである。
【課題を解決するための手段】
【０００７】
上記目的を達成するために、本発明にかかる無線通信装置は、画像データを撮影するとともに通信相手機器との間で無線通信をおこなう無線通信装置であって、自装置と通信相手機器との間で無線通信を行う無線通信手段と、自装置と通信相手機器との物理的接触を検知する検知手段と、前記無線通信におけるセッションに必要な管理情報を、前記無線通信と異なる至近距離通信方式にて通信相手機器へ送信する送信手段と、前記検知手段により接触が検知されたことを契機として、前記管理情報の送信を所定時間だけ前記送信手段に実行させ、前記所定時間の経過後に、前記無線通信による通信相手機器とのセッションを開始する通信制御手段と、前記接触が検知されたことを契機として通信制御手段によりセッションが開始されると、セッションが開始された１以上の通信相手機器の識別子を端末リストに登録し、前記識別子を登録した端末リストを保持するリスト保持手段と、前記接触が検知されたことを契機として前記セッションが開始された通信相手機器の識別子が端末リストに登録された後に、自装置が撮影した画像データを、前記端末リストに登録されている識別子に対応する１以上の通信相手機器に前記無線通信手段で送信するよう制御する制御手段とを備えることを特徴としている。
【発明の効果】
【０００８】
一般に、機器間が離れていると、到達する電波が弱まりノイズの影響がより大きくなるが、本発明に係る無線通信装置は、課題を解決するための手段に記載の構成によって、お互いの機器の接触をトリガとして管理情報を送信するため、機器間が離れた状態で不用意に管理情報が送信されることがないので、ノイズの影響を最小限に抑えることができる。
さらに、本発明に係る無線通信装置どうしが通信する場合は、双方が接触をトリガとするため、送信側、受信側の動作が同期し、一方の端末のみが先に管理情報を送信、もしくは受信する状態となっている時間を極短時間に抑えることができる。また、送信と受信のタイミングが同期することで、短い時間で管理情報の送受信が完了することができる。このように、通信時間が短いことで、第三者により管理情報が傍受されることや、“なりすまし”目的の虚偽の管理情報を受信してしまう可能性をきわめて少なくすることができる。
【０００９】
また、短い時間で管理情報の送受信が完了できることによる別の効果としては、無線通信装置の消費電力を低減することができるという効果もある。
また、本発明に係る無線通信装置は、前記通信相手機器が送信した相手機器管理情報を、前記至近距離通信方式にて受信する受信手段を更に備え、前記通信制御手段は更に、前記検知手段により接触が検知されたことを契機として、前記相手機器管理情報の受信を前記受信手段に実行させ、受信された相手機器管理情報に基づいて前記セッションを実行するとしてもよい。
【００１０】
これにより、接触をトリガとして受信処理を開始すればよいため、従来のようにいつ発せられるかわからない送信側端末の電波を常に監視しておく必要がなく、小電力の効果がより顕著となる。
また、前記送信手段は、前記至近距離通信方式において、前記無線通信に用いる電波よりも小さい送信電力で管理情報を送信するとしてもよい。あるいは、前記至近距離通信方式とは、通信相手機器との接触点を介した信号線路において信号を送受する通信方式であるとしてもよい。
【００１１】
これにより、第三者による管理情報の傍受がより困難となり、さらにセキュアに通信が可能となる。
また、前記検知手段は、自装置の接触検知部位に通信相手機器の接触検知部位が接触した場合に、前記物理的接触を検知するとしてもよい。
これによって、通信相手機器の接触検知部位以外の部位と接触し、通信相手機器では管理情報の送受信が実行されないにもかかわらず、自装置が管理情報を送信するという事態を避けることができる。従って、管理情報の不用な送信が避けられ、第三者により管理情報が傍受される可能性をさらに小さくすることができる。
【発明を実施するための最良の形態】
【００１２】
(第１実施形態)
以降、本発明に係る無線通信装置の実施形態について説明する。先ず始めに、本発明に係る無線通信装置の実施行為のうち、使用行為についての形態を説明する。図１は、本発明に係る無線通信装置の使用行為についての形態を示す図である。図１において、本発明に係る無線通信装置は、携帯型端末１０及び撮影装置２０であり、携帯型端末１０及び撮影装置２０は画像撮影システム１を形成する。
【００１３】
本画像撮影システム１では、ユーザは観光客で携帯型端末１０を手に持っており、撮影装置２０は観光地の景観の良い撮影スポットに設置されている。本画像撮影システム１は、ユーザがこの撮影スポットで撮影装置２０を使って自分を含む景観を記念撮影する等の用途に供される。
携帯型端末１０は、無線ＬＡＮによる通信機能を有するＰＤＡであり、外表面に接触検知部位１１、操作ボタン等の操作入力部１２、画面１３、及びアンテナ１４を備える。
【００１４】
撮影装置２０は、無線ＬＡＮによる通信機能を有するネットワークカメラであり、観光地の景観の良い撮影スポットに設置された壁３０に固定されている。撮影装置２０は、操作ユニット２０ａとカメラユニット２０ｂとが電気的に通信可能な状態で接続された構成であり、カメラ２２を有するカメラユニット２０ｂは、携帯型端末１０を所持するユーザの手が届かない高所に設置されているが、接触検知部位２１、及びアンテナ２３を有する操作ユニット２０ａは、ユーザの手が届く位置に設置されている。
【００１５】
携帯型端末１０と撮影装置２０とは、各装置の機器アドレス、ネットマスク、ゲートウェイアドレス、認証鍵、暗号鍵等の管理情報を、相互に交換することで無線ＬＡＮによるセッションが可能となり、携帯型端末１０から、撮影装置２０のズーム、パン、チルト、及び撮影の各機能の実行を指示したり、撮影された画像データを受信することができる。
本図の画像撮影システム１では、図２のように、携帯型端末１０を撮影装置２０の操作ユニット２０ａに近づけ、携帯型端末１０の接触検知部位１１と撮影装置２０の接触検知部位２１とを物理的に接触させると、携帯型端末１０と撮影装置２０とが、無線ＬＡＮのデータ通信に用いる電波よりも小さい送信出力で、それぞれの機器の管理情報を送受信し、その後、通常の無線ＬＡＮによるセッションを開始することを特徴としている。
【００１６】
このような画像撮影システム１では、ユーザが携帯型端末１０を手に所持して撮影装置２０の前に立ち、撮影装置２０を遠隔操作することで、手持ちのカメラでは撮影できないような眺めのよい高所から撮影した画像データを得ることができる。
続いて本発明に係る各装置の内部構成について説明する。図３は、第１実施形態に係る携帯型端末１０及び撮影装置２０の内部構成を示す図である。
【００１７】
先ず携帯型端末１０について説明する。本図に示すように、携帯型端末１０は、操作入力部１２、画面１３、接触センサー１０１、至近距離通信部１０２、無線通信部１０３、データ蓄積部１０４、リスト保持部１０５、及び制御部１０６を備える。
操作入力部１２は、ＰＤＡに搭載されているテンキー等のダイレクトキー、タッチパネル、ジョイスティック、及びスライド式のレバー等の操作入力デバイスであり、シャッター押下などのユーザ操作を受け付ける。
【００１８】
画面１３は、ＬＣＤ、有機ＥＬ等の表示デバイスであり、画像を表示する。
接触センサー１０１は、接触検知部位１１における物理的な接触を電気信号として検出する機能を有し、接触が検出されると、検知信号を制御部１０６へ通知する。具体的には、接触センサー１０１は、図４に示すように、ケース１５０に固定された２つの電極１５１と、外力によって図の左右方向に可動する樹脂で形成された非伝導性素子１５２と、非伝導性素子１５２に固定された伝導体１５４と、素子１５２及びケース１５０を接続するバネ１５３とで構成されたプッシュ型スイッチである。外力が働いていない時、非伝導性素子１５２は、バネ１５３によって、電極１５１と伝導体１５４とが電気的に遮断される位置に維持されている。この非伝導性素子１５２に対して、図４の左方向へ向かう外力が働くと、非伝導性素子１５２は徐々に押し込まれ、やがて電極１５１と伝導体１５４が接触する。また、外力が除かれるとバネ１５３が弾性力により復元することで非伝導性素子１５２は元の位置に押し戻されて、２つの電極１５１は電気的に遮断される。よって、２つの電極１５１間の通電状態を監視することで、接触センサー１０１は、接触状態を電気的に検出することが可能となる。尚、接触状態として検出するために必要な外力の大きさは、バネ１５３のバネ係数を変更調整することで、調整することが可能である。例えば、バネ係数を大きくすることで、軽く触れた場合（弱い外力）では接触を検出せず、ある程度の強さで接触した場合（強い外力）のみ接触を判定することができ、誤操作により接触検知部位１１が何かに接触した場合に携帯型端末１０が誤作動することを防止することができる。このように、図４に示したプッシュ型スイッチを用いることで、接触の状況を自由に設定可能な接触センサーを提供することが可能となる。
【００１９】
図３の至近距離通信部１０２は、無線ＬＡＮに用いる電波に比較して小さい電波出力でデータを送受信する機能を有し、自装置の管理情報を送信し、他装置から送信された管理情報を受信する用途に用いられる。ここでの送信出力は、撮影装置２０と接触した直後の近接した状況において、撮影装置２０に電波が到達する必要最小限の電波出力であればよい。
【００２０】
無線通信部１０３は、無線ＬＡＮにより他端末とデータを送受信する公知の無線通信手段であり、画像データや制御データ等を送受信する用途に用いられる。尚、至近距離通信部１０２と無線通信部１０３とは、別個のハードウェアにより実現してもよいし、一つの送受信ユニットの送信電力を低出力と高出力とに切り替えることで至近距離通信部１０２と無線通信部１０３との機能を実現するとしてもよい。
【００２１】
データ蓄積部１０４は、フラッシュメモリやハードディスクドライブなどの不揮発性のストレージであり、画像データを記録する用途に用いられる。
リスト保持部１０５は、ＤＲＡＭなどの揮発性メモリであり、撮影装置２０が提供するサービスの一覧である機能リストを保存する用途に用いられる。
制御部１０６は、CPU、プログラムを格納したROM、RAMからなる典型的なコンピュータシステムである。ROMに格納されたプログラムがCPUに読み込まれ、プログラムと、ハードウェア資源とが協動することにより、通信確立処理、及び撮影処理の制御を実行する。
【００２２】
制御部１０６による通信確立処理とは、接触センサー１０１による接触の検出を契機として、至近距離通信部１０２に通信相手と管理情報を送受信させ、通信相手の管理情報を取得した後は、無線通信部１０３に、無線ＬＡＮによる撮影装置２０とのコネクションを確立させる処理である。
また、制御部１０６による撮影処理とは、通信確立処理において開始された撮影装置２０との無線ＬＡＮによるセッションにおいて、撮影装置２０へカメラ２２を制御する要求を送信することで撮影装置２０を遠隔操作して、撮影装置２０から画像データを受信することで、撮影された画像を取得するものである。
【００２３】
次に撮影装置２０について説明する。撮影装置２０は、カメラ２２、接触センサー２０１、至近距離通信部２０２、無線通信部２０３、記憶部２０４、削除部２０５、及び制御部２０６を備える。
カメラ２２は、ＣＣＤやＣＭＯＳセンサを用いたデジタルカメラである。
接触センサー２０１、至近距離通信部２０２、及び無線通信部２０３は、それぞれ携帯型端末１０の接触センサー１０１、至近距離通信部１０２、及び無線通信部１０３と同様の構成である。
【００２４】
記憶部２０４は、カメラ２２で撮像された動画や静止画を一時的に保持できる、揮発性または不揮発性のバッファメモリである。
削除部２０５は、記憶部２０４に保存されている画像データを消去する機能を有する。
制御部２０６は、携帯型端末１０の制御部１０６と同様の構成であり、ROMに格納されたプログラムがCPUに読み込まれ、プログラムと、ハードウェア資源とが協動することにより、通信確立処理、及び撮影処理の制御を実行する。
【００２５】
制御部２０６による通信確立処理は、制御部１０６による通信確立処理と同様の処理である。制御部２０６による撮影処理とは、無線ＬＡＮによるセッションにおいて、携帯型端末１０からカメラ２２を制御する要求を受信して、要求に応じてカメラ２２を動作させ、カメラ２２で撮影した確認用の画像（以下、プレビュー画像）や、シャッター押下を指示する要求を受けた時点で撮影した画像（以下、シャッター画像）を携帯型端末１０へ送信し、シャッター画像の送信後は、セッションの終了前に記憶部２０４に保存されている画像データを削除部２０５に消去させる処理である。ここで、プレビュー画像およびシャッター画像を消去することで、ユーザが写った画像の他への流出を防止し、肖像権などのユーザ・プライバシーを保護することができる。
【００２６】
尚、本実施形態では、ネットワーク上で提供されるサービス・オブジェクトのアドレッシング法として、ＵＲＩ（Ｕｎｉｖｅｒｓａｌ  Ｒｅｓｏｕｒｃｅ  Ｉｄｅｎｔｉｆｉｅｒ）を用いる。携帯型端末１０及び撮影装置２０は、提供するサービスとそのＵＲＩとの対応表を機能リストとして保持しており、この機能リストを通信相手機器へ提供することで、自装置が提供するサービスを明示することができる。図５は、撮影装置２０の機能リストを示す図である。機能リストは端末毎に存在し、複数のレコードで構成される。各レコードは端末名とサービス名とＵＲＩの３つのフィールドで構成される。端末名は端末の名称、サービス名はその端末が提供可能な機能の名称、ＵＲＩはサービス・オブジェクトでありＨＴＴＰ（Ｈｙｐｅｒｔｅｘｔ  Ｔｒａｎｓｆｅｒ  Ｐｒｏｔｏｃｏｌ）形式で表現され、一般にネットワーク上の端末のアドレスを含んでいる。図５の例では、ＵＲＩのうち１９２．１６８．０．１がネットワークにおける撮影装置２０のアドレスである。カメラのズーム倍率ｐ１などのパラメータはＵＲＩの中に％に続いて含めることができる。
【００２７】
具体的には、通信確立処理において無線ＬＡＮのコネクションを確立させる際に、撮影に関する各種サービスを記載した機能リストが撮影装置２０から携帯型端末１０へ配布される。その後、撮影処理において、携帯型端末１０では、操作入力部１２で入力されたユーザの要求が、制御部１０６により機能リストを参照して対応するするサービスのＵＲＩに変換されて、ネットワークを介して撮影装置２０にサービスが要求される。一方の撮影装置２０では、撮影処理において、携帯型端末１０からの要求に対する応答としてサービス結果である画像データ等が携帯型端末１０に送信される。
【００２８】
以上が、本実施形態に係る携帯型端末１０、及び撮影装置２０の内部構成である。このような構成の携帯型端末１０及び撮影装置２０からなる画像撮影システム１では、図２のように携帯型端末１０の接触検知部位１１と撮影装置２０の接触検知部位２１とが物理的に接触した場合、双方の装置でほぼ同時に接触が検知され、それに応じて制御部１０６及び制御部２０６の双方が、それぞれ至近距離通信部１０２及び至近距離通信部２０２に対して管理情報の送受信を指示する。そのため、例え、近傍に他の携帯型端末が存在したとしても、携帯型端末１０及び撮影装置２０は、お互いに相手機器のアドレスを得ることができる。
【００２９】
尚、携帯型端末１０の近傍に複数台の撮影装置が設置されている場合に、データ通信相手となる１台を特定する方法として、ＵＰｎＰ（Ｕｎｉｖｅｒｓａｌ  Ｐｌｕｇ  ａｎｄ  Ｐｌａｙ）を適用することができる。具体的には、互いの機器の接触センサー１０１及び２０１の接触を契機として、撮影装置２０の至近距離通信部２０２から、携帯型端末１０の至近距離通信部１０２にＵＰｎＰのデバイス発見用の情報として、たとえば撮影装置２０のＵＵＩＤ（Ｕｎｉｖｅｒｓａｌ  Ｕｎｉｑｕｅ  Ｉｄｅｎｔｉｆｉｅｒ）を管理情報に含めて送信することで、ＵＵＩＤを両端末間で交換しておく。次に携帯型端末１０は無線通信部１０３を用いて、前述のＵＵＩＤをキーとしてデバイス発見要求（Ｍ−Ｓｅａｒｃｈ）をマルチキャストする。これにより撮影装置２０は、前述のデバイス発見要求に対する応答として無線通信部２０３から携帯型端末１０の無線通信部１０３に対して、自身のデバイス制御情報のＵＲＩを通知する。次に携帯型端末１０は無線通信部１０３を用いて前述のＵＲＩで示されるデバイス制御情報を入手する。以上により、携帯型端末１０は二台以上の端末の中から、データ通信相手となる撮影装置２０を発見し、制御することが可能となる。
【００３０】
続いて本実施形態に係る画像撮影システム１の動作について説明する。図６は、第１実施形態における画像撮影システム１の動作の概要を示す図である。
ユーザが携帯型端末１０の接触検知部位１１と撮影装置２０の接触検知部位２１とを接触させると（ステップＳ１）、両端末間で通信確立処理が実行され、無線ＬＡＮによる通信が確立する（ステップＳ２）。通信が確立すると、両端末で撮影処理が実行され、携帯型端末１０の画面１３には、プレビュー画像が即座に表示される（ステップＳ３）。ユーザは携帯型端末１０を手に持ちカメラ２２の前に立ち、操作入力部１２を使ってカメラ２２に対してズーム・パン・チルト操作などを行い、所望の構図の写真となるよう画面１３で確認したのち、シャッターを押下する（ステップＳ４）。その瞬間にカメラ２２で撮影したシャッター画像は、携帯型端末１０に送信され、データ蓄積部１０４に記録されるとともに画面１３に表示し確認することができる（ステップＳ５）。その後、ユーザによる画像撮影システム１の利用が終了する前に、撮影装置２０ではプレビュー画像およびシャッター画像が消去される（ステップＳ６）。
【００３１】
次に、図６のステップＳ１、ステップＳ２で実行される通信確立処理について、フローチャートを参照しながら、処理手順の詳細を説明する。図７は、通信確立処理の処理手順を示すフローチャートである。本図に示す処理では、端末間での管理情報の交換から、無線ＬＡＮにおけるコネクションの確立してユーザ操作による画像データの交換が実行できる状態になるまでが制御され、各処理手順は、携帯型端末１０側では、制御部１０６により実行され、撮影装置２０側では、制御部２０６により実行される。
【００３２】
先ず携帯型端末１０側では、ステップＳ１１のループ処理において、接触センサー１０１から接触の検知が通知されるのを待ち受ける。撮影装置２０側では、ステップＳ２１のループ処理において、接触センサー１０１から接触の検知が通知されるのを待ち受ける。
接触の検知が通知されると、携帯型端末１０の制御部１０６は、微小な待ち時間ｄのあいだ待機した後（ステップＳ１２）、至近距離通信部１０２に対して、時間ｔ１だけ自装置の管理情報を送信するよう指示する（ステップＳ１３）。一方、撮影装置２０の制御部２０６では、接触の検知が通知されると即座に、至近距離通信部２０２に対して、あらかじめ定めた必要最小限の時間ｔ２だけ受信動作を実行するように指示する（ステップＳ２２）。ここで、時間ｔ２は、時間ｄと時間ｔ１とを合わせた時間であり、双方の装置の送信動作、及び受信動作が同期する。
。このように、管理情報の送信を時間ｄだけ遅らせ、受信側の受信処理の開始後に送信側の送信処理を開始することで、送信した電波をより確実に受信することができ、安定した通信が可能となる。
【００３３】
続いて、制御部１０６は至近距離通信部１０２に対して、時間ｔ２だけ受信動作を実行するように指示する（ステップＳ１４）。一方、制御部２０６は、微小な待ち時間ｄのあいだ待機した後（ステップＳ２３）、至近距離通信部２０２に対して、時間ｔ１だけ自装置の管理情報を送信するよう指示する（ステップＳ２４）。ここまでの処理で、携帯型端末１０と撮影装置２０とはネットワーク上で端末を特定するためのアドレスを互に交換できたことになる。
【００３４】
なお、無線通信の電波状況が悪いなどの理由で相手機器のアドレスの受信が成功しなかった場合は（ステップＳ１５：Ｎｏ、ステップＳ２５：Ｎｏ）、ステップＳ１１及びステップＳ２１のループ処理へ処理を戻して、新たな接触検知を待ち受ける。
通信相手のアドレスを交換した以降の処理では、携帯型端末１０と撮影装置２０との通信は無線通信部１０３及び２０３を用いた無線ＬＡＮによる通信となる。
【００３５】
正常に通信相手のアドレスの受信に成功すると（ステップＳ１５：Ｙｅｓ、ステップＳ２５：Ｙｅｓ）、携帯型端末１０では制御部１０６が、無線通信部１０３に対して、ネットワーク上にある撮影装置をサーチさせる（ステップＳ１６）。そのサーチに対して、撮影装置２０では、提供可能な機能リストを携帯型端末１０へ送信するよう無線通信部２０３に指示がなされる（ステップＳ３６）。携帯型端末１０の制御部１０６は、撮影装置２０から機能リストを受信しリスト保持部１０５に保存する（ステップＳ１７）。以上で、携帯型端末１０と撮影装置２０の間でセキュアな無線通信経路が確立し、双方向で制御データや画像データの受け渡しが可能となる。
【００３６】
以上の処理手順では、端末同士の接触検出をトリガとして管理情報の送受信を同期して開始するため、アドレス等の管理情報の送出時間を短くることが可能となる。つまり、電波を送信する時間が短いため、近い時刻に他の携帯型端末と他の撮影装置が接触し通信確立処理を行う場合でも、無線が混信することなく確実に通信を確立することができる。また、悪意を持った第三者による“なりすまし”や傍受を未然に防止することができる。
【００３７】
次に、図６のステップＳ３〜ステップＳ６の間に実行される撮影処理について、フローチャートを参照しながら、処理手順の詳細を説明する。図８は、撮影処理の処理手順を示すフローチャートである。本図に示す撮影処理は、通信確立処理により通信が確立された後に、制御部１０６、及び制御部２０６により実行される。
撮影処理では先ず、携帯型端末１０における制御部１０６で、ステップＳ３１〜ステップＳ３３のループ処理を繰り返し実行され、プレビュー画像を更新しながら、ユーザのシャッター押下操作が待ち受けられる。
【００３８】
ステップＳ３１〜ステップＳ３３のループ処理で、具体的には、制御部１０６が、リスト保持部１０５に保存されている機能リストからプレビュー画像を要求するＵＲＩであるｈｔｔｐ：／／１９２．１６８．０．１／Ｐｒｅｖｉｅｗを取り出し、ネットワークを介して撮影装置２０へプレビュー要求を送信するように、無線通信部１０３へ指示する（ステップＳ３１）。撮影装置２０でその要求が受信されると、制御部２０６は、カメラ２２で撮影した画像を記憶部２０４に一旦保持させ、プレビュー画像として携帯型端末１０へ送信するように、無線通信部２０３へ指示する（Ｓ４１）。無線通信部２０３から送信されたプレビュー画像が携帯型端末１０の無線通信部１０３において受信されると、制御部１０６は受信したプレビュー画像を画面１３に表示させる（ステップＳ３２）。このループ処理中には、プレビュー画像を見ながら、撮影装置２０のカメラ２２に対して、機能リストに登録されているズーム・パン・チルトなどの制御を行いより良い写真の構図を選択する処理を含めることもできる。
【００３９】
ユーザのシャッター押下操作が操作入力部１２で受け付けられると（Ｓ３３：Ｙｅｓ）、制御部１０６は機能リストからシャッター画像を要求するＵＲＩであるｈｔｔｐ：／／１９２．１６８．０．１／Ｓｈｕｔｔｅｒを取り出し、撮影装置２０へシャッター画像の要求を送信するように、無線通信部１０３へ指示する（ステップＳ３４）。撮影装置２０でシャッター画像の要求が受信されると、制御部２０６は、カメラ２２で撮影したシャッター画像を記憶部２０４に一旦保持させ、このシャッター画像を携帯型端末１０へ送信するよう無線通信部２０３へ指示する（ステップＳ４２）。無線通信部２０３から送信されたシャッター画像が携帯型端末１０の無線通信部１０３において受信されると、制御部１０６は受信したシャッター画像を画面１３に表示させるとともに、データ蓄積部１０４に保存する（ステップＳ３５）。
【００４０】
シャッター画像の送受信が完了すると、撮影装置２０では、制御部２０６が削除部２０５を制御して、記憶部２０４に保持されている全ての画像データを削除させ（ステップＳ４３）、その後、制御部１０６及び制御部２０６の指示により、無線通信部１０３−無線通信部２０３間の無線ＬＡＮによるセッションが終了する。以上が撮影処理の処理手順の詳細である。
【００４１】
なお、ステップＳ４１及びステップＳ４２の画像データ送信時に、管理情報に含まれる暗号鍵を用いて暗号化したデータを送信し、ステップＳ３２及びステップＳ３５でのデータ受信時に、受信データを暗号鍵を使って復号することで、ユーザにとって特別な操作の追加なしに、よりセキュアな通信方式を提供でき、悪意を持った第三者による盗聴の危険性を大幅に軽減することが可能となる。
【００４２】
また、通信確立処理において、管理情報の交換後に機能リストを送受信することで通信確立処理を完了しているが、機能リストの送受信が不要な場合など、無線通信部１０３および２０３による無線ＬＡＮの通信路確立に必要な最小限の管理情報のみの送受信を持って、通信確立処理の完了としてもよい。
以上、本実施形態によれば、携帯型端末１０の接触検知部位１１と撮影装置の接触検知部位２１とが接触した場合には、接触センサー１０１および２０１が同時に衝突を検出できる。このため、送信側端末の送信処理と受信側端末の受信処理とを、正確に同期でき、管理情報を送受信する時間を極めて短く設定することができるという特徴がある。
【００４３】
極めて短時間で管理情報の送信動作、受信動作を終了するよう設定することで、たとえ機器間で管理情報の交換に失敗した場合にもリトライが制限され、不用意に管理情報が送受信される時間が延びることがない。また、接触検知部位同士が接触しない場合、例えば、携帯型端末１０の接触検知部位を除く他の一部分と撮影装置２０の接触検知部位２１とが物理的に接触した場合は、制御部２０６には接触したことが通知されるが、接触センサー１０１は接触を感知できないため制御部１０６には接触したことが通知されない。この場合は、携帯型端末１０の至近距離通信部１０２で送受信処理が実行されないにもかかわらず、撮影装置２０の至近距離通信部２０２では自装置の管理情報の送信処理と相手装置の管理情報の受信処理とが実行されるが、撮影装置２０の側で至近距離通信部２０２が電波を送信する時間が短くてすむ。この結果、他の端末と間違って通信する可能性や、第三者等に通信を傍受される可能性は極めて低くなる。たとえ機器間で管理情報の交換に失敗したとしても、本発明では、ユーザに煩雑な操作をしいることなく、機器どうしを接触させるという非常に簡単な操作で、再度通信を試みることができるため、利便性が損なわれることはない。
【００４４】
また、本実施形態によれば、携帯型端末１０ととが接触した状態で、至近距離通信部１０２および２０２による管理情報の送受信が実行されるので、電波送出時間の短さに加えて、電波送信の出力を必要最小限に小さく設定することができ、第三者による通信の傍受を防止したさらにセキュリティの高い通信が実現可能となる。
尚、本実施形態における画像撮影システム１では、一台の撮影装置２０に対して、一台の携帯型端末１０が無線接続される場合を示したが、本発明に係る画像撮影システム１は、一台の撮影装置２０に対して、複数台の携帯型端末を無線接続する構成でも実施可能である。
【００４５】
携帯型端末が２台ある場合の画像撮影システム１の動作について図９を用いて説明する。図９において、２つの携帯型端末１０ａ、１０ｂを順に撮影装置２０に接触させると、撮影装置２０−携帯型端末１０ａ間と、撮影装置２０−携帯型端末１０ｂ間とに、それぞれ無線ＬＡＮ通信が確立する。プレビュー画像は撮影装置２０から２台の携帯型端末１０ａ、１０ｂにそれぞれ送信され、それぞれの画面に同じプレビュー画像が表示される。シャッター等の操作は携帯型端末１０ａ、１０ｂの何れからも受け付け、何れか一方で押下されると、撮影装置２０からシャッター画像が２台の携帯型端末１０ａ、１０ｂにそれぞれ送信され、それぞれのデータ蓄積部１０４に同じ画像が記録される。
【００４６】
このような動作によって、２人のユーザが一緒に記念撮影する用途でも、２人が持つ２台の携帯型端末へ同時にプレビュー画像を送信でき、構図の決定のために１つの携帯型端末の小さい画面を２人で覗き込む必要がない。さらに、一回のシャッター操作だけで２人が持つ２台の携帯型端末に手間無く同じ画像を記録できので、撮影後に画像をメモリカード等を使って別の端末にコピーしたり、メールに添付して送信する手法で撮影後に画像を受け渡しする必要がなく、ユーザの手間を省くことができる。これらのメリットは、それぞれが携帯型端末を所持した３人以上のユーザが一緒に撮影する場合にもえられ、特に、同時に使用する携帯型端末の台数が多い場合ほど、より効果が高いものとなる。
【００４７】
尚、本実施形態の変形例として、接触センサー１０１および２０１を金属電極とし、２つの電極が互いに直接的に接触する方式としてもよい。つまり、図１０に示すように、接触センサー１０１を備えた携帯型端末１０はユーザの人体を経由して地面にＧ１で接地されている。一方、接触センサー２０１を備えた撮影装置２０は壁３０を経由して同じく地面にＧ２で接地されている。よって、接触センサー１０１および２０１は人体および壁面および地面Ｇ１、Ｇ２を経由して電気回路を形成している。この電気回路の通電状態を計測することで、接触センサー１０１および２０１の接触状態を電気的に検出することが可能となる。
【００４８】
さらに、接触センサー１０１および２０１を金属電極とすることで、接触中に金属電極を通じて端末間で通信することも可能となる。接触中の金属電極を介してデータを送受信する構成を至近距離通信部として用いると、無線ＬＡＮによる通信路構築に必要な端末アドレスなどの管理情報を、端末間でより安全に交換することができる。
また、さらに他の変形例として、図１１に示すように、接触センサー１０１、及び接触センサー２０１のケース１５０に凹部１５５及び凸部１５６を設けることで、接触センサー１０１、及び接触センサー２０１が対向する位置で接触した場合にのみ非伝導性素子１５２が押し込まれ、接触が検知される構成としてもよい。このような構成により、接触センサー１０１、及び接触センサー２０１が通信相手機器の接触検知部位以外の位置に接触した場合に、管理情報が送信されることを防ぐことができ、管理情報が第三者に傍受される危険性をさらに低減することができる。
【００４９】
(第２実施形態)
第２実施形態では、画像撮影機能を有する複数の携帯型端末で、観光地の景観等を分担して撮影する画像撮影システム２について説明する。図１２は、第２実施形態に係る画像撮影システム２を示す図である。図１２において、本発明に係る無線通信装置は、携帯型端末１０ａ〜１０ｃであり、何れも同じ構成の端末である。携帯型端末１０ａ〜１０ｃは、無線ＬＡＮによる通信機能を有するＰＤＡであり、それぞれ異なるユーザに所持されている。
【００５０】
本実施形態では、携帯型端末１０ａには、操作入力部１２を使って主端末となる設定がユーザによってなされており、携帯型端末１０ｂ、１０ｃには従端末となる設定がなされている。ここで主端末とは、スター型トポロジの無線ネットワークの中心となる携帯型端末であり、従端末とは、スター型ネットワーク上の主端末以外の携帯型端末である。
このように主端末と従端末の設定を行ったうえで、図に示すように携帯型端末１０ａと携帯型端末１０ｂとの接触検知部位同士を接触させると、第１実施形態と同様の手法で携帯型端末１０ａ−携帯型端末１０ｂ間で管理情報を交換して無線ＬＡＮの通信路が確立する。その後、さらに携帯型端末１０ａと携帯型端末１０ｃとの接触検知部位同士を接触させると、携帯型端末１０ａ−携帯型端末１０ｃ間で管理情報を交換して無線ＬＡＮの通信路が確立する。この結果、本実施形態に係る画像撮影システム２全体として、携帯型端末１０ａを中心としたスター型ネットワークが形成される。このような無線ネットワークが形成された後は、携帯型端末１０ｂと携帯型端末１０ｃとの間でも、一旦、携帯型端末１０ａを経由することで、データを送受信することができる。
【００５１】
以上の操作により無線ネットワークが形成された後は、携帯型端末１０ａ〜１０ｃの何れかで画像を撮影すると、画像データが無線ＬＡＮを介して他の端末へ送信され、携帯型端末１０ａ〜１０ｃの全てに記録される。
図１３は、第２実施形態に係る画像撮影システム２を構成する機器の内部構成を示す図である。尚、携帯型端末１０ｃについては、携帯型端末１０ａ及び１０ｂと同様の内部構成を有する。以下、携帯型端末１０ａを例にその内部構成について説明する。
【００５２】
携帯型端末１０ａは、第１実施形態に係る携帯型端末１０の内部構成にカメラ１５をさらに追加した構成であり、図１の携帯型端末１０と同様の構成については同じ符号を付して説明を省略する。
カメラ１５は、ＣＣＤやＣＭＯＳセンサを用いたデジタルカメラである。
リスト保持部１０５は、携帯型端末１０ｂ、１０ｃが提供するサービスの一覧である機能リストに加えて、無線ＬＡＮによる通信が確立した端末を特定する端末リストを保存する用途に用いられる。図１４は、ネットワーク確立後に携帯型端末１０ａのリスト保持部１０５に保持される端末リストを示す図である。端末リストは、端末リストは、通信が確立した端末と同数のレコードで構成され、各レコードは、端末名とアドレスの２つのフィールドによって構成される。
【００５３】
機能リストには、カメラ１５で撮影した画像データを、要求に応じて送信するサービスとそのサービスに対応したＵＲＩとが登録されている。
以上が、第２実施形態に係る携帯型端末１０ａの内部構成である。このような構成の携帯型端末１０ａ〜１０ｃでは、図１２のように携帯型端末１０ａの接触検知部位１１と携帯型端末１０ｂの接触検知部位１１とが物理的に接触した場合、携帯型端末１０ａ及び携帯型端末１０ｂの双方でほぼ同時に接触が検知され、それに応じて、それぞれ至近距離通信部１０２による管理情報の送受信を実行する。そのため、近傍に携帯型端末１０ｃが存在したとしても、携帯型端末１０ａ〜１０ｃの３つの機器で混信することなく、携帯型端末１０及び携帯型端末１０ｂの間で管理情報を交換することができる。
【００５４】
尚、２台以上の端末からデータ通信相手となる１台を特定する方法として、実施の形態１と同様にＵＰｎＰ（Ｕｎｉｖｅｒｓａｌ  Ｐｌｕｇ  ａｎｄ  Ｐｌａｙ）を適用し、管理情報にＵＵＩＤを含めて機器間で交換するとしてもよい。
続いて第２実施形態に係る画像撮影システム２の動作について説明する。以下の説明では、携帯型端末１０ａには、操作入力部１２を使って主端末となる設定がユーザによってなされ、携帯型端末１０ｂ、１０ｃには従端末となる設定がなされているものとする。
【００５５】
図１５は、画像撮影システム２の動作の流れを示す図である。本図に示す動作の各処理手順は、制御部１０６により制御される。
各携帯型端末では、接触検知部位１１に他の携帯型端末が接触したか否かを監視しており（Ｓ５１、Ｓ６１）、ユーザが手に持った携帯型端末同士を接触させると、接触センサー１０１が接触を検出した携帯型端末同士で通信確立処理を実行する（Ｓ５２、Ｓ６２）。
【００５６】
通信確立処理の実行の結果、通信路確立に失敗した場合（ステップＳ５３：Ｎｏ、ステップＳ６３：Ｎｏ）、ステップＳ４１またはステップＳ５１の処理に戻り次の接触検知を待ち受ける。
通信確立処理の実行により通信路確立に成功した場合は（ステップＳ５３：Ｙｅｓ、ステップＳ６３：Ｙｅｓ）、主端末においては、制御部１０６が通信相手端末のアドレスを従端末として端末リストに登録しリスト保持部１０５に保持する（ステップＳ５４）。従端末においては、制御部１０６が相手端末のアドレスを主端末として端末リストに登録しリスト保持部１０５に格納する（ステップＳ６４）。その後、主端末では、全ての従端末との通信確立処理が終了するまで（ステップＳ５５：Ｙｅｓ）、ステップＳ５１〜ステップＳ５５の処理手順を繰り返す。
【００５７】
本実施の形態では、携帯型端末１０ａは、従端末となる携帯型端末１０ｂと接触させられたとき、及び携帯型端末１０ｃと接触させられたときの２度、このようなステップＳ５１〜ステップＳ５５の処理が実行され、携帯型端末１０ｂ及び１０ｃでは、主端末となる携帯型端末１０ａと接触させられ時に、それぞれ１度、ステップＳ６１〜ステップＳ６４の処理が実行される。この結果、主端末である携帯型端末１０ａのリスト保持部１０５には図１４に示す端末リストが登録され、従端末である携帯型端末１０ｂ及び１０ｃのリスト保持部１０５には、図１６に示す端末リストが登録される。
【００５８】
ここまでの手順で携帯型端末１０ａ〜１０ｃ間の無線ネットワークが確立すると、その後は、携帯型端末１０ａ〜１０ｃを持つ各ユーザが、所持する携帯型端末でシャッター押下操作をするたびに、各携帯型端末では撮影処理が実行される（ステップＳ５６、ステップＳ６５）。ユーザ操作により撮影終了が指示されると（ステップＳ５７：Ｙｅｓ、ステップＳ６６：Ｙｅｓ）、携帯型端末１０ａ〜１０ｃの各端末は動作を終了する。以上が画像撮影システム２の動作の流れである。
【００５９】
次に、図１５のステップＳ５２、ステップＳ６２で実行される通信確立処理について、フローチャートを参照しながら、処理手順の詳細を説明する。図１７は、第２実施形態に係る通信確立処理の処理手順を示すフローチャートである。
接触の検知されると、主端末では、制御部１０６が至近距離通信部１０２に対して、自装置の管理情報を送信するよう指示する（ステップＳ７１）。一方、従端末では、制御部１０６が至近距離通信部１０２に対して、受信動作を実行するように指示する（ステップＳ８１）。
【００６０】
続いて、主端末では、制御部１０６が至近距離通信部１０２に対して、受信動作を実行するように指示し（ステップＳ７２）、一方、従端末では、制御部１０６が至近距離通信部１０２に対して、自装置の管理情報を送信するよう指示する（ステップＳ８２）。
ここでステップＳ７１、ステップＳ８２の送信動作、及びステップＳ８２、ステップＳ７２の受信動作は、主端末及び従端末の何れでも、あらかじめ定めた所定時間だけ実行される。その結果、互いの機器との接触を契機として処理を開始した主端末と従端末では、主端末の送信動作（ステップＳ７１）と従端末の受信動作（ステップＳ８１）とが正確に同期し、主端末の受信動作（ステップＳ７２）と従端末の送信動作（ステップＳ８２）とが正確に同期すことになる。このため、これらの送信動作、受信動作の継続時間は、極短時間に設定することができる。
【００６１】
ここまでの処理で、主端末と従端末とはネットワーク上で相手機器を特定するためのアドレスの交換が完了する。尚、主端末及び従端末の制御部１０６は、通信確立処理の成否を変数ＳＴを用いて管理しており、無線通信の電波状況が悪いなどの理由で通信相手のアドレスの受信が成功しなかった場合は（ステップＳ７３：Ｎｏ、ステップＳ８３：Ｎｏ）、変数ＳＴに通信未確立というステータスを格納して通信確立処理を終了する（ステップＳ７４、ステップＳ８４）。
【００６２】
通信相手のアドレスを交換した以降の処理では、主端末である携帯型端末１０ａと従端末との通信は無線通信部１０３及び２０３を用いた無線ＬＡＮによる通信となる。
正常に通信相手のアドレスの受信に成功すると（ステップＳ７３：Ｙｅｓ、ステップＳ８３：Ｙｅｓ）、主端末では、制御部１０６が無線通信部１０３に対して、相手アドレスに対応する従端末をサーチさせる（ステップＳ７５）。そのサーチに対して、従端末では、提供可能な機能リストを取得した主端末のアドレスへ送信するよう無線通信部１０３に指示がなされ（ステップＳ８５）、この機能リストが主端末の無線通信部１０３で受信されてリスト保持部１０５に保存される（ステップＳ７６）。
【００６３】
その後、従端末では、制御部１０６が無線通信部１０３に対して、取得した相手アドレスに対応する主端末をサーチさせる（ステップＳ８６）。そのサーチに対して、主端末では、提供可能な機能リストを取得した従端末のアドレスへ送信するよう無線通信部１０３に指示がなされ（ステップＳ７７）、この機能リストが従端末の無線通信部１０３で受信されてリスト保持部１０５に保存される（ステップＳ８７）。
【００６４】
以上の手順で相手機器の機能リストの取得に成功すると、主端末、従端末は、それぞれの制御部１０６が保持する変数ＳＴに通信確立というステータスを格納して通信確立処理を終了する（Ｓ７８、Ｓ８８）。
以上が、通信確立処理の詳細である。このような処理手順によって、主端末と従端末との間でセキュアな無線通信経路が確立し、双方向で制御データや画像データの受け渡しが可能となる。
【００６５】
このような通信確立処理が携帯型端末１０ａ、１０ｂ間、携帯型端末１０ａ、１０ｃ間で実行されることで、携帯型端末１０ａのリスト保持部１０５には、図１８に示す機能リストが登録され、携帯型端末１０ｂ、１０ｃのリスト保持部１０５には、図１９に示す機能リストが登録される。
次に、図１５のステップＳ５６、ステップＳ６５で実行される撮影処理について処理手順の詳細を説明する。本実施形態における撮影処理は、撮影する端末が主端末であるか、従端末であるかで、処理手順が相違する。先ず始めに、図２０および図２１を使って、主端末において撮影操作がなされた場合の撮影処理を説明する。
【００６６】
図２０に示すように、主端末において、操作入力部１２でシャッター操作を受付けると、その瞬間の画像をカメラ１５で撮影し、主端末の制御部１０６がRAM上の作業領域に画像データを一時記憶する（ステップＳ９１）。その後、主端末から全ての従端末へ順次、画像データを送信し記録させる送信処理が実行される（ステップＳ９２）。
送信処理では、図２１に詳細を示すように、主端末の制御部１０６は、リスト保持部１０５に格納された端末リストから、撮影画像を送信すべき全ての従端末のアドレスを読み出し（ステップＳ１０１）、アドレスを読み出した各従端末について、ステップＳ１０２〜ステップＳ１０４の処理を実行する。
【００６７】
具体的には、主端末の制御部１０６は、まず１つめの従端末に対して、撮影画像を主端末より受信するよう要求を送信する（ステップＳ１０２）。この要求を受信した従端末の制御部１０６が、機能リストから撮影画像を要求するＵＲＩであるｈｔｔｐ：／／１９２．１６８．１．１／ＧｅｔＩｍａｇｅを取り出して特定し、主端末に対してポストすると（ステップＳ１１１）、主端末の制御部１０６は、RAM上の作業領域に一時記憶している画像データを従端末へ送信する（ステップＳ１０３）。
従端末では、無線通信部１０３で画像データを受信し（ステップＳ１１２）、受信した画像データに基づいて画像を画面１３に表示するとともに、受信した画像データをデータ蓄積部１０４に保存する（Ｓ１１３）。
【００６８】
主端末の制御部１０６は、端末リストに登録されている全ての従端末に対して一時記憶している画像データを送信すると（ステップＳ１０４：Ｙｅｓ）、RAM上の作業領域に一時記憶している画像データを、自端末のデータ蓄積部１０４に保存する（ステップＳ１０５）。以上が、撮影装置が主端末の場合の撮影処理の詳細である。
続いて、従端末において撮影操作がなされた場合の撮影処理について説明する。従端末において撮影操作がなされた場合の撮影処理が、主端末において撮影操作がなされた場合の撮影処理と相違する点は、従端末で撮影した画像の画像データを、一旦、主端末に送信する処理が追加されることである。主端末に送信された画像データは、主端末で撮影した場合と同じ処理手順により全ての従端末に送信される。
【００６９】
以下、従端末である携帯型端末１０ｂで撮影した場合を例として、従端末で撮影した場合の撮影処理の詳細について図２２を使って説明する。
従端末である携帯型端末１０ｂにおいて、操作入力部１２でシャッター操作を受付けると、その瞬間の画像をカメラ１５で撮影し、携帯型端末１０ｂの制御部１０６がRAM上の作業領域に画像データを一時記憶する（ステップＳ１２１）。その後、携帯型端末１０ｂの制御部１０６は、リスト保持部１０５に格納された端末リストから、画像データを送信すべき主端末のアドレスを読み出し（ステップＳ１２２）、携帯型端末１０ｂが保持する画像データを受信するよう、主端末に対して要求を送信する（ステップＳ１２３）。この要求に対して、主端末の制御部１０６は機能リストから、携帯型端末１０ｂに撮影画像を要求するＵＲＩであるｈｔｔｐ：／／１９２．１６８．１．２／ＧｅｔＩｍａｇｅを取り出して特定し、携帯型端末１０ｂに対してポストすると（ステップＳ１３１）、携帯型端末１０ｂの制御部１０６は、RAM上の作業領域に一時記憶している画像データを、主端末へ送信する（ステップＳ１２４）。主端末の制御部１０６は、受信した画像データを、RAM上の作業領域に一時記憶し（ステップＳ１３２）、図２１に示す送信処理により、この画像データを全ての従端末へ順次、送信する（ステップＳ１３３）。以上が、撮影装置が従端末の場合の撮影処理の詳細である。
【００７０】
以上、本実施形態によれば、各ユーザが手に持った携帯型端末を使って、端末同士を接触させることで、簡単、確実、かつセキュアな状態で無線ネットワークを構築でき、無線ネットワークを構築した後は、どの携帯型端末で撮影した画像も無線ネットワークに属する他の携帯型端末にその場で即座に配信され蓄積される。このため、撮影後に、携帯型端末間で、脱着式メモリカードやメールなどで画像データを交換・整理する必要がない。このことは、特に、団体旅行等で複数人が観光の写真撮影という１つの目的を共有する場合に、グループの共同作業を簡単で効率的かつ確実に達成することができるという効果がある。
【００７１】
(第３実施形態)
第１実施形態及び第２実施形態では、端末同士の物理的な接触を通信確立のトリガとして使用する構成について説明した。第３実施形態では、端末同士の物理的な接触動作を、端末間での画像転送の開始コマンドとして使用する情報処理システム３について説明する。
【００７２】
図２３は、第３実施形態に係る情報処理システム３を示す図である。図２３において、本発明に係る無線通信装置は、無線ＬＡＮによる通信機能を有する携帯型端末３０ａ〜３０ｄである。これらの携帯型端末３０ａ〜３０ｄが、無線ネットワーク９０を介して接続することで、情報処理システム３を構成する。以下、無線ネットワーク９０に接続されていて各端末間の通信は確立済みであるものとして説明する。
【００７３】
図２４は、第３実施形態に係る情報処理システム３を構成する機器の内部構成を示す図である。携帯型端末３０ｃ及び３０ｄについては、携帯型端末３０ａ及び３０ｂと同様の内部構成を有する。
携帯型端末３０ａ〜３０ｄは、図３に示す携帯型端末１０ａから至近距離通信部１０２を取り除き、制御部１０６を制御部３０１に置き換えた構成である。以下、図１の携帯型端末１０と同様の構成については同じ符号を付して説明を省略する。
【００７４】
制御部３０１は、CPU、プログラムを格納したROM、RAMからなる典型的なコンピュータシステムである。ROMに格納されたプログラムがCPUに読み込まれ、プログラムと、ハードウェア資源とが協動することにより、画像転送処理の制御を実行する。制御部３０１による画像転送処理とは、接触センサー１０１において接触が検出されることを契機として、データ蓄積部１０４に記録している画像データを接触相手の端末へ送信する処理である。
【００７５】
以上が、第３実施形態に係る携帯型端末３０ａ〜３０ｄの内部構成である。
続いて、画像転送処理について説明する。図２５は、第３実施形態に係る画像転送処理の動作の流れを示す図であり、図２６は、画像転送処理の操作状態を模式的に示す図である。ここでは、携帯型端末３０ａにあらかじめ蓄積してある画像を携帯型端末３０ｂにコピーして渡す場合を例として、画像転送処理の概要を述べる。
【００７６】
先ず、携帯型端末３０ａを所持するユーザが、携帯型端末３０ｂへ渡したい画像データを選択し、Ｔ１１のように画像を画面１３に表示させる（ステップＳ１４１）。この状態で携帯型端末３０ａ及び３０ｂの接触検知部同士を接触させると（ステップＳ１４２）、ステップＳ１４１で選択しされた画像データが、無線ネットワーク９０を経由して携帯型端末３０ａから携帯型端末３０ｂへ送信される（ステップＳ１４３）。
【００７７】
送信処理中は処理の進捗度に応じて、携帯型端末３０ａ、３０ｂの画面１３の表示がＴ１２に示すように制御される。具体的には、携帯型端末３０ａの画面１３では、ステップＳ１４１で選択した表示画像が徐々に画面上方向に移動して消えていき、並行して、携帯型端末３０ｂの画面１３には、ステップＳ１４１で選択したものと同じ画像が画面下方から徐々に現れる。
【００７８】
最終的には、送信処理完了とともに、Ｔ１３に示すように、携帯型端末３０ａの画面１３の表示画像が完全に消えさり、所望の画像が携帯型端末３０ｂに記録されて、携帯型端末３０ｂの画面１３に完全な画像が表示される（ステップＳ１４４）。このように処理の進捗度に連動した画面変化により、送信処理の進捗度合いおよびその完了とをユーザにわかりやすく伝えることができる。
【００７９】
次に、制御部３０１による画像転送処理の制御の詳細について説明する。図２７は、制御部３０１による画像転送処理の制御手順を示すフローチャートである。
ここでは、携帯型端末３０ａ〜３０ｄは無線通信部１０３によって無線ネットワーク９０に接続され各端末間で通信は確立済みで、相手端末のアドレスを特定することで、任意の端末から別の任意の端末に対して画像データや制御データを送受信できる状態にあるものとする。以下、画像データの送信元となる携帯型端末を送信端末、画像データを受信する携帯型端末を受信端末として、両端末の処理ステップを説明する。
【００８０】
送信端末において、データ蓄積部１０４に保存されている画像データから所望の画像データを選択するユーザ操作が、操作入力部１２で受け付けられると、制御部３０１は、選択された画像データの画像を、画面１３に表示させる（ステップＳ１５１）。
この状態で、両端末の制御部３０１は、それぞれステップＳ１５２のループ処理、１６１のループ処理により、自装置の接触センサー１０１における接触の検出の有無を監視しているので、ユーザが両端末の接触検知部位同士１１を接触させると、送信端末、及び受信端末の制御部３０１は、同期して次のステップへと処理を移す。
【００８１】
自装置の接触センサー１０１から接触の検出を通知された受信端末の制御部３０１は、無線ネットワーク９０に接続された全ての携帯型端末に対して、待ち受け状態にある送信端末をサーチする（ステップＳ１６２）。一方、自装置の接触センサー１０１から接触の検出を通知された送信端末の制御部３０１は、サーチを待ち受け、無線通信部１０３により受信端末からのサーチを受け付けると、受信端末へ自装置の機能リストを送り返す（Ｓ１５３）。
【００８２】
受信端末の制御部３０１は、送信端末の機能リストを無線通信部１０３で受信すると、この機器リストをリスト保持部１０５に保存する（ステップＳ１６３）。
ここで、携帯型端末３０ａが送信端末、携帯型端末３０ｂが受信端末であるとすると、他の携帯型端末３０ｃ及び３０ｄは接触センサーで接触が検知されていなければ、サーチを待ち受ける状態にない。そのため、携帯型端末３０ｃ及び３０ｄは、無線ネットワーク９０に接続されているが、ステップＳ１６２で受信端末から送信されたサーチに対して、誤って応答することはない。
【００８３】
また、送信端末と受信端末とにおいて、サーチの開始とサーチを待ち受ける動作の開始とが、互いの接触をトリガーとするため、極めて正確に同期するので、本実施形態ではステップＳ１６２でのサーチの実行時間を短く設定できる。よって、たとえ、携帯型端末３０ａと３０ｂとが接触したのとほぼ同じ時期に、携帯型端末３０ｃと３０ｄが接触したとしても、ステップＳ１６２でのサーチの実行時間を短くすることで、携帯型端末３０ａ及び３０ｂ間のサーチ動作に、携帯型端末３０ｃや携帯型端末３０ｄが誤って応答する可能性を極めて低くでき、実際の使用上は問題ないと考えられる。
【００８４】
ステップＳ１６３で機能リストを取得した後、受信端末の制御部３０１は、機能リストを参照して送信端末のＵＲＩを取り出し、送信端末に対して画像データを送信するよう要求する（ステップＳ１６４）。
送信端末は画像データの送信要求を受けると、送信端末の制御部３０１は、ステップＳ１５１でユーザに選択された画像データを受信端末に送信開始するとともに、送信処理の進捗率を逐次計算して、画面１３に表示する画像の表示方法を連続的に変化させる（ステップＳ１５４）。受信端末の制御部３０１は、画像データを受信するとともに、受信処理の進捗率（０〜１００％）を逐次計算して、画面１３に表示する画像の表示方法を連続的に変化させる（ステップＳ１６５）。その後、受信端末の制御部３０１は、画像データの受信が完了すると、データ蓄積部１０４に画像データを保存する（ステップＳ１６６）。
【００８５】
ステップＳ１５４、ステップＳ１６５で実行あれる表示制御の具体例を説明する。ここでは画像データとして、JPEG形式の画像データを用い、受信端末では、画像データの一部分を取得した段階で、画像の一部分を表示することができるものとする。
送信端末では、送信済みの画像のデータ量と画像の全データ量との比を進捗率として算出しおり、進捗率０％の時には画面１３に画像の全体を表示し、進捗率が増加すると、画面１３に表示している画像を上端から徐々に消去しつつ、画面上方へ移動させ、画像が画面外へはなめらかにスクロールアウトするように表示する。このとき画像の面積のうち消去した部分の比率を、進捗率と同じになるように制御する。この結果、やがて進捗率１００％になると、送信端末の画面１３は、選択画像が表示されていない状態になる。
【００８６】
受信端末では、受信が済んだ画像のデータ量と画像の全データ量との比を進捗率として算出しており、進捗率０％の時には画面１３には何も表示されないが、進捗率が増加すると、画像の受信済みの部分を画面１３の下端側に表示させる。このとき、進捗率の増加に合わせて表示画像を画面上方へ移動させることで、画像が画面外からなめらかにスクロールインするように表示する。この結果、やがて進捗率１００％になると、受信端末の画面１３は、画像の全体が表示される。例えば、図２５のＴ１２の状態は、進捗率５０％の状態であり、送信端末および受信端末にそれぞれ画像が５０％ずつ表示されている。以上が制御部３０１による画像転送処理の制御の詳細である。
【００８７】
以上、本実施形態によれば、携帯型端末を持ち寄って携帯型端末同士を接触させるという簡単な操作で、携帯型端末に記録している画像等のデータを送受信することができる。
尚、本実施形態では、携帯型端は無線ネットワーク９０に接続されており各端末間の通信は確立済みであり、携帯型端末同士の接触を、画像転送処理のトリガとする場合を説明したが、第２実施形態と同様に、相手端末に渡したい画像を選択し、携帯型端末同士を接触させることで、通信確立処理と画像転送処理とを連続して実行するとしてもよい。こうすることで、初めて出会ったユーザ同士が、各ユーザが所有する携帯型端末を使って、パスワード設定や相手アドレスの特定など特別な操作なしに、簡単に画像を受け渡すことが可能となる。
【００８８】
（その他の変形例）
尚、本発明を上記の実施形態に基づいて説明してきたが、本発明は、上記の実施の形態に限定されないのはもちろんである。以下のような場合も本発明に含まれる。
（１）本発明は、上記の各フローチャートにより手順を示す方法であるとしてもよい。また、これらの方法をコンピュータにより実現するコンピュータプログラムであるとしてもよいし、前記コンピュータプログラムからなるデジタル信号であるとしてもよい。
【００８９】
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００９０】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００９１】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２）上記第１実施形態では、撮影装置２０が操作ユニット２０ａとカメラユニット２０ｂとに分離した構成としたが、これは高い視点で画像を撮影可能でありながら、ユーザの手が届く高さに接触検知部位を配置することを意図したものでる。そのため、例えば、カメラを比較的低所に設置する場合などは、一つの筐体にカメラ２２と接触センサー２０１とを組み込んだ構成であってもよい。
【００９２】
（３）上記第１〜３実施形態では、無線通信として無線ＬＡＮを用いる場合について説明したが、本発明は、無線通信として、ＩＥＥＥ８０２．１１ａ、ｂ、ｇ、ｎに規定された無線ＬＡＮ、Ｂｌｕｅｔｏｏｔｈ、ＩｒＤＡ、Ｚｉｇｂｅｅ、ＵＷＢ等の公知の近距離無線通信方式や、ＷＣＤＭＡ、ＣＤＭＡ２０００、ＰＤＣ、ＰＨＳなど公知の移動体通信網の何れを用いる場合にも適用可能である。
【００９３】
（４）至近距離通信部により送信する管理情報は、端末間で通信セッションを確立するために必要な情報や暗号化用鍵データなど必要最小限とすることで、さらに高いセキュリティを保つことが可能となる。
（５）検知手段としては、既存の圧電センサーを用いるとしてもよい。圧電センサーによって、携帯型端末同士の接触時に発生する圧力を圧電センサーの電圧変化として検出することで、接触の圧力を電気的に検出することができる。
【００９４】
また、他の方法として、検知手段を、画面に組み込まれたタッチパネルにより実現することもできる。タッチパネルは、指や操作棒で触れてクリックやドラッグ操作を入力する普及したデバイスであり、既にタッチパネルが組み込まれた端末では、接触検出のための新たなデバイスの追加なしに安価に接触を検出することが可能である。
更に、他の方法として、振動センサーやマイクにより検知手段を実現することもできる。このような構成では、接触時に発生する振動や音を捉えて接触を検出することができる。
【００９５】
（６）上記実施の形態及び上記変形例をそれぞれ組み合わせるとしてもよい。
【産業上の利用可能性】
【００９６】
本発明の適用例としては、無線通信機能を有するデジタルカメラ、ＰＤＡ等がある。
【図面の簡単な説明】
【００９７】
【図１】本発明に係る無線通信装置の使用行為についての形態を示す図
【図２】携帯型端末１０と撮影装置２０との接触の様子を模式的に示す図
【図３】第１実施形態に係る携帯型端末１０及び撮影装置２０の内部構成を示す図
【図４】接触センサー１０１の構成を模式的に示す図
【図５】撮影装置２０が提供する機能リストを示す図
【図６】第１実施形態における画像撮影システム１の動作の概要を示す図
【図７】通信確立処理の処理手順を示すフローチャート
【図８】撮影処理の処理手順を示すフローチャート
【図９】携帯型端末を２台含む画像撮影システムを示す図
【図１０】変形例に係る接触検知の動作原理を示す図
【図１１】更に他の変形例に係る接触センサー１０１を模式的に示す図
【図１２】第２実施形態に係る画像撮影システム２を示す図
【図１３】第２実施形態に係る携帯型端末１０ａの内部構成を示す図
【図１４】ネットワーク確立後に携帯型端末１０ａのリスト保持部１０５に保持される端末リストを示す図
【図１５】画像撮影システム２の動作の概要を示す図
【図１６】ネットワーク確立後に携帯型端末１０ｂ及び１０ｃのリスト保持部１０５に保持される端末リストを示す図
【図１７】第２実施形態に係る通信確立処理の処理手順を示すフローチャート
【図１８】ネットワーク確立後に携帯型端末１０ａのリスト保持部１０５で保持される機能リストを示す図
【図１９】ネットワーク確立後に携帯型端末１０ｂ及び１０ｃのリスト保持部１０５で保持される機能リストを示す図
【図２０】第２実施形態において、主端末で撮影した場合の撮影処理の処理手順を示すフローチャート
【図２１】主端末からの送信処理の処理手順を示すフローチャート
【図２２】第２実施形態において、従端末で撮影した場合の撮影処理の処理手順を示すフローチャート
【図２３】第３実施形態に係る情報処理システム３を示す図
【図２４】第３実施形態に係る情報処理システム３を構成する機器の内部構成を示す図
【図２５】第３実施形態に係るデータ交換処理の概要を示す図
【図２６】データ交換処理の操作状態を模式的に示す図
【図２７】制御部３０１によるデータ交換処理の制御手順を示すフローチャート
【符号の説明】
【００９８】
１、２      画像撮影システム
３          情報処理システム
１０、１０ａ〜１０ｃ、３０ａ〜ｄ
携帯型端末
１１、２１    接触検知部位
１２          操作入力部
１３          画面
１４、２３    アンテナ
１５、２２    カメラ
２０          撮影装置
２０ａ        操作ユニット
２０ｂ        カメラユニット
３０          壁
９０          無線ネットワーク
１０１、２０１  接触センサー
１０２、２０２  至近距離通信部
１０３、２０３  無線通信部
１０４          データ蓄積部
１０５          リスト保持部
１０６、２０６、３０１
制御部
１５０          ケース
１５１          電極
１５２          素子
１５２          非伝導性素子
１５３          バネ
１５４          伝導体
１５５          凹部
１５６          凸部
２０４          記憶部
２０５          削除部
【図１】
0005032127.tif 000002
【図２】
0005032127.tif 000003
【図３】
0005032127.tif 000004
【図４】
0005032127.tif 000005
【図５】
0005032127.tif 000006
【図６】
0005032127.tif 000007
【図７】
0005032127.tif 000008
【図８】
0005032127.tif 000009
【図９】
0005032127.tif 000010
【図１０】
0005032127.tif 000011
【図１１】
0005032127.tif 000012
【図１２】
0005032127.tif 000013
【図１３】
0005032127.tif 000014
【図１４】
0005032127.tif 000015
【図１５】
0005032127.tif 000016
【図１６】
0005032127.tif 000017
【図１７】
0005032127.tif 000018
【図１８】
0005032127.tif 000019
【図１９】
0005032127.tif 000020
【図２０】
0005032127.tif 000021
【図２１】
0005032127.tif 000022
【図２２】
0005032127.tif 000023
【図２３】
0005032127.tif 000024
【図２４】
0005032127.tif 000025
【図２５】
0005032127.tif 000026
【図２６】
0005032127.tif 000027
【図２７】
0005032127.tif 000028